(57)【要約】【課題】サムネイル表示されたコンテンツの中から興味を持ったコンテンツを選択したユーザに対して、このコンテンツに適切に関連している可能性が高いと考えられる情報を提示することが可能なコンテンツ表示端末、コンテンツ表示支援装置、コンテンツ表示システム、及びコンテンツ表示方法を提供する。【解決手段】情報提供サーバ３からサムネイル情報を受信するとともに、当該サムネイル情報を表示する第一表示部２１と、サムネイル情報が示す複数のコンテンツのうちいずれかのコンテンツの選択を受け付けるとともに、選択された当該コンテンツを特定する特定情報を情報提供サーバ３に送信する第一選択部２２と、特定情報を受信した情報提供サーバ３から、当該特定情報が特定するコンテンツにリンクするリンク元に関するリンク元情報を受信するとともに、当該リンク元情報を表示する第二表示部２３と、を備える。【選択図】図２
2011040011.tif 000002
【特許請求の範囲】
【請求項１】
通信ネットワークにおける複数のコンテンツの一覧をサムネイル情報として生成するコンテンツ表示支援装置と通信可能なコンテンツ表示端末であって、
前記コンテンツ表示支援装置から前記サムネイル情報を受信するとともに、受信した当該サムネイル情報を表示する第一端末受信手段と、
前記第一端末受信手段により表示された前記サムネイル情報が示す前記複数のコンテンツのうちいずれかのコンテンツの選択を受け付けるとともに、選択された当該コンテンツを特定する特定情報を前記コンテンツ表示支援装置に送信する第一端末選択手段と、
前記第一端末選択手段により送信された前記特定情報を受信した前記コンテンツ表示支援装置から、当該特定情報が特定するコンテンツにリンクするリンク元に関するリンク元情報を受信するとともに、受信した当該リンク元情報を表示する第二端末受信手段と、
を備えることを特徴とするコンテンツ表示端末。
【請求項２】
前記第二端末受信手段は、前記特定情報を受信した前記コンテンツ表示支援装置から、当該特定情報が特定するコンテンツにリンクする複数のリンク元のそれぞれに関する複数のリンク元情報の一覧をダイジェスト情報として受信するとともに、受信した当該ダイジェスト情報を表示する、
ことを特徴とする請求項１に記載のコンテンツ表示端末。
【請求項３】
通信ネットワークにおけるコンテンツを表示するコンテンツ表示端末と通信可能なコンテンツ表示支援装置であって、
複数の前記コンテンツの一覧をサムネイル情報として生成する生成手段と、
前記生成手段により生成された前記サムネイル情報を前記コンテンツ表示端末に送信する第一装置送信手段と、
前記第一装置送信手段により送信された前記サムネイル情報を受信した前記コンテンツ表示端末から、当該サムネイル情報が示す前記複数のコンテンツのうち当該コンテンツ表示端末において選択されたコンテンツを特定する特定情報を受信する第一装置受信手段と、
前記第一装置受信手段により受信された前記特定情報が特定するコンテンツにリンクするリンク元に関するリンク元情報を、前記コンテンツ表示端末に送信して当該リンク元情報を表示させる第二装置送信手段と、
を備えることを特徴とするコンテンツ表示支援装置。
【請求項４】
前記第一装置受信手段により受信された前記特定情報に基づいて、前記コンテンツ表示端末において選択された前記コンテンツの重要度を算出する重要度算出手段を更に備え、
前記第一装置送信手段は、前記重要度算出手段により算出された前記重要度に基づく表示順で前記コンテンツ表示端末において表示されるよう指示する重要度情報を含む前記サムネイル情報を前記コンテンツ表示端末に送信する、
ことを特徴とする請求項３に記載のコンテンツ表示支援装置。
【請求項５】
前記第二装置送信手段は、前記特定情報が特定するコンテンツにリンクする複数のリンク元のそれぞれに関する複数のリンク元情報の一覧をダイジェスト情報として前記コンテンツ表示端末に送信して当該ダイジェスト情報を表示させ、
前記第二装置送信手段により送信された前記ダイジェスト情報を受信した前記コンテンツ表示端末から、当該ダイジェスト情報が示す前記複数のリンク元情報のうち当該コンテンツ表示端末において選択されたリンク元情報を特定する選択情報を受信する第二装置受信手段と、
前記第二装置受信手段により受信された前記選択情報が特定するリンク元情報によって示されるリンク元のコンテンツを特定するコンテンツ特定手段と、を更に備え、
前記生成手段は、前記コンテンツ特定手段により特定された前記コンテンツに基づいて、前記サムネイル情報を生成する、
ことを特徴とする請求項３に記載のコンテンツ表示支援装置。
【請求項６】
通信ネットワークにおけるコンテンツを表示するコンテンツ表示端末と、当該コンテンツ表示端末と通信可能なコンテンツ表示支援装置と、を有するコンテンツ表示システムであって、
前記コンテンツ表示支援装置は、
複数の前記コンテンツの一覧をサムネイル情報として生成する生成手段と、
前記生成手段により生成された前記サムネイル情報を前記コンテンツ表示端末に送信する第一装置送信手段と、
前記第一装置送信手段により送信された前記サムネイル情報を受信した前記コンテンツ表示端末から、当該サムネイル情報が示す前記複数のコンテンツのうち当該コンテンツ表示端末において選択されたコンテンツを特定する特定情報を受信する第一装置受信手段と、
前記第一装置受信手段により受信された前記特定情報が特定するコンテンツにリンクするリンク元に関するリンク元情報を、前記コンテンツ表示端末に送信して当該リンク元情報を表示させる第二装置送信手段と、
を備えることを特徴とするコンテンツ表示システム。
【請求項７】
前記第二装置送信手段は、前記特定情報が特定するコンテンツにリンクする複数のリンク元のそれぞれに関する複数のリンク元情報の一覧をダイジェスト情報として前記コンテンツ表示端末に送信して当該ダイジェスト情報を表示させ、
前記コンテンツ表示支援装置は、
前記第二装置送信手段により送信された前記ダイジェスト情報を受信した前記コンテンツ表示端末から、当該ダイジェスト情報が示す前記複数のリンク元情報のうち当該コンテンツ表示端末において選択されたリンク元情報を特定する選択情報を受信する第二装置受信手段と、
前記第二装置受信手段により受信された前記選択情報が特定するリンク元情報によって示されるリンク元のコンテンツを特定するコンテンツ特定手段と、を更に備え、
前記生成手段は、前記コンテンツ特定手段により特定された前記コンテンツに基づいて、前記サムネイル情報を生成する、
ことを特徴とする請求項５に記載のコンテンツ表示システム。
【請求項８】
前記生成手段は、前記複数のコンテンツの一覧をサムネイル情報として予め生成し、
前記第一装置送信手段は、前記生成手段により予め生成された前記サムネイル情報を前記コンテンツ表示端末に送信する、
ことを特徴とする請求項５又は６に記載のコンテンツ表示システム。
【請求項９】
前記第二装置送信手段は、前記第一装置受信手段により前記特定情報が受信されると、受信した当該特定情報に基づいて前記ダイジェスト情報を生成して前記コンテンツ表示端末に送信し、当該ダイジェスト情報を表示させる、
ことを特徴とする請求項６又は７に記載のコンテンツ表示システム。
【請求項１０】
通信ネットワークにおけるコンテンツを表示するコンテンツ表示端末と、当該コンテンツ表示端末と通信可能なコンテンツ表示支援装置と、を備えるコンテンツ表示システムで行なわれるコンテンツ表示方法であって、
複数の前記コンテンツの一覧をサムネイル情報として前記コンテンツ表示支援装置が生成する生成ステップと、
前記生成ステップで生成された前記サムネイル情報を前記コンテンツ表示端末に前記コンテンツ表示支援装置が送信する第一装置送信ステップと、
前記第一装置送信ステップで送信された前記サムネイル情報を受信した前記コンテンツ表示端末から、当該サムネイル情報が示す前記複数のコンテンツのうち当該コンテンツ表示端末において選択されたコンテンツを特定する特定情報を前記コンテンツ表示支援装置が受信する第一装置受信ステップと、
前記第一装置受信ステップで受信された前記特定情報が特定するコンテンツにリンクするリンク元に関するリンク元情報を、前記コンテンツ表示端末に前記コンテンツ表示支援装置が送信して当該リンク元情報を表示させる第二装置送信ステップと、
を有することを特徴とするコンテンツ表示方法。
【請求項１１】
前記第二装置送信ステップでは、前記特定情報が特定するコンテンツにリンクする複数のリンク元のそれぞれに関する複数のリンク元情報の一覧をダイジェスト情報として前記コンテンツ表示端末に前記コンテンツ表示支援装置が送信して当該ダイジェスト情報を表示させ、
前記第二装置送信ステップで送信された前記ダイジェスト情報を受信した前記コンテンツ表示端末から、当該ダイジェスト情報が示す前記複数のリンク元情報のうち当該コンテンツ表示端末において選択されたリンク元情報を特定する選択情報を前記コンテンツ表示支援装置が受信する第二装置受信ステップと、
前記第二装置受信ステップで受信された前記選択情報が特定するリンク元情報によって示されるリンク元のコンテンツを前記コンテンツ表示支援装置が特定するコンテンツ特定ステップと、
を更に有し、
前記生成ステップでは、前記コンテンツ特定ステップで特定された前記コンテンツに基づいて、前記サムネイル情報を前記コンテンツ表示支援装置が生成する、
ことを特徴とする請求項９に記載のコンテンツ表示方法。
【請求項１２】
通信ネットワークにおける複数のコンテンツの一覧をサムネイル情報として表示するコンテンツ表示端末と通信可能であるとともに、当該サムネイル情報を生成して当該コンテンツ表示端末に送信可能なコンテンツ表示支援装置であって、
当該コンテンツ表示支援装置から送信された前記サムネイル情報を受信した前記コンテンツ表示端末から、当該サムネイル情報が示す前記複数のコンテンツのうち当該コンテンツ表示端末において選択されたコンテンツを特定する特定情報を受信する情報受信手段と、
前記情報受信手段により受信された前記特定情報が特定するコンテンツにリンクするリンク元を特定するリンク元特定手段と、
前記リンク元特定手段により特定された前記リンク元に関連する関連ページを特定する関連特定手段と、
前記関連特定手段により特定された前記関連ページのコンテンツを特定する関連コンテンツ特定手段と、
を備え、前記サムネイル情報は、前記関連コンテンツ特定手段により特定された前記コンテンツに基づいて生成される、
ことを特徴とするコンテンツ表示支援装置。
【請求項１３】
前記情報受信手段により受信された前記特定情報に基づいて、前記コンテンツ表示端末において選択された前記コンテンツの重要度を算出する重要度算出手段を更に備え、
前記サムネイル情報は、前記重要度算出手段により算出された前記重要度に基づく表示順で前記コンテンツ表示端末において表示されるよう指示する重要度情報を含む、
ことを特徴とする請求項１２に記載のコンテンツ表示支援装置。
【発明の詳細な説明】
【技術分野】
【０００１】
本発明は、コンテンツを表示するコンテンツ表示端末、当該コンテンツ表示端末と通信可能なコンテンツ表示支援装置、当該コンテンツ表示端末と当該コンテンツ表示支援装置とを有するコンテンツ表示システム、及び、当該コンテンツ表示システムで行なわれるコンテンツ表示方法に関する。
【背景技術】
【０００２】
従来、通信ネットワークを介してサーバから移動端末に、ウェブページが有するコンテンツの要約情報を提供する情報提供技術が提案されている。例えば、特許文献１には、移動体通信端末で受信して表示するＷＥＢコンテンツの要約情報に画像を含める情報提供方法が開示されている。この情報提供方法では、まず、ＷＥＢサーバが、ＲＳＳフィードといった要約情報の添付メディア記述部に、画像ファイルの取得先情報とサイズ情報とタイプ情報とを書き込み、その添付メディア記述部を含む要約情報を移動体通信端末に送信する。
【０００３】
そして、この要約情報を受信した移動体通信端末が、上記の取得先情報に基づいて、上記のサイズ情報及びタイプ情報で指定された画像のファイルを取得し、取得した画像ファイルを要約情報と関連付けて記憶する。そして、移動体通信端末が、この要約情報を表示するときに、上記の画像ファイルを読み出して要約情報の表示画面の一部にこの画像を表示する。
【０００４】
また、近年、インターネットにおけるＹｏｕＴｕｂｅ（登録商標）といった動画コンテンツ共有サイトや、Ｆｌｉｃｋｒ（登録商標）といった写真コンテンツ共有サイトを介して、数多くの動画像や静止画像を閲覧することが可能になってきている。これらの画像コンテンツは、インターネットに接続可能な環境を利用すれば誰でも、一般的なウェブブラウザを用いて視聴することができる。
【０００５】
上記の動画コンテンツ共有サイトであるＹｏｕＴｕｂｅ（登録商標）では、ユーザによって選択された動画コンテンツの再生終了後、この動画コンテンツに関連する関連動画コンテンツのサムネイルを表示する。ここで、サムネイル表示された関連動画コンテンツのうちいずれかをユーザが選択すると、その関連動画コンテンツが再生される。これによりユーザは、動画コンテンツを渡り歩くこと、いわゆるネットサーフィンをすることが可能となる。
【０００６】
また、ダウンロード可能に公開されている画像検索用アドオンであるＣｏｏｌｉｒｉｓ（登録商標）をウェブブラウザに用いることにより、Ｇｏｏｇｌｅ（登録商標）やＦｌｉｃｋｒ（登録商標）等の画像検索サービスによる検索結果の縮小画像が、三次元的に奥行きのある独特の画面形式で一覧表示（即ち、サムネイル表示）され、視認性が高められる。
【先行技術文献】
【特許文献】
【０００７】
【特許文献１】特開２００７−２９９２７６号公報
【発明の概要】
【発明が解決しようとする課題】
【０００８】
上記のＹｏｕＴｕｂｅ（登録商標）が動画コンテンツの再生終了後にサムネイル表示する関連動画コンテンツは、コンテンツ間の関連性を決める所定の手法に基づいて選択されて表示される。しかしながら、この手法の内容は明らかにされておらず、この関連動画コンテンツが選択された理由や根拠が不透明である。このため、選択したコンテンツを視聴した後にこのコンテンツに適切に関連した情報を望むユーザにとって、関連した情報であるとしてサムネイル表示されているコンテンツのうちいずれかを選択して本当に適切に関連した情報が得られるのか否かの判断を行うことは困難である。即ち、サムネイル表示されたコンテンツの中から興味を持ったコンテンツを選択したユーザに対して、このコンテンツに適切に関連している可能性が高いと考えられる情報を提示することに関しては、なんら考慮されていないため、利便性が低い。
【０００９】
また、上記の画像検索用アドオンであるＣｏｏｌｉｒｉｓ（登録商標）を用いることにより、画像検索サービスによる検索結果の画像コンテンツが縮小されて一覧表示されるが、縮小表示された画像コンテンツのうちいずれかがユーザに選択されることによりこの画像コンテンツに関連する別のコンテンツ等の情報がユーザに提示されることは無い。即ち、サムネイル表示されたコンテンツの中から興味を持ったコンテンツを選択したユーザに対して、このコンテンツに適切に関連している可能性が高いと考えられる情報を提示することに関しては、なんら考慮されていないため、利便性が低い。
【００１０】
そこで本発明は、上記問題点を解消する為になされたものであり、サムネイル表示されたコンテンツの中から興味を持ったコンテンツを選択したユーザに対して、このコンテンツに適切に関連している可能性が高いと考えられる情報を提示することが可能なコンテンツ表示端末、コンテンツ表示支援装置、コンテンツ表示システム、及びコンテンツ表示方法を提供することを目的とする。
【課題を解決するための手段】
【００１１】
発明者は、上記した目的を達成するため鋭意検討し、サムネイル表示されたコンテンツの中から興味を持ったコンテンツを選択したユーザに対して、このコンテンツに適切に関連している可能性が高いと考えられる情報を提示することが可能なコンテンツ表示端末、コンテンツ表示支援装置、コンテンツ表示システム、及びコンテンツ表示方法を発明した。
【００１２】
即ち、本発明に係るコンテンツ表示端末は、通信ネットワークにおける複数のコンテンツの一覧をサムネイル情報として生成するコンテンツ表示支援装置と通信可能なコンテンツ表示端末であって、コンテンツ表示支援装置からサムネイル情報を受信するとともに、受信した当該サムネイル情報を表示する第一端末受信手段と、第一端末受信手段により表示されたサムネイル情報が示す複数のコンテンツのうちいずれかのコンテンツの選択を受け付けるとともに、選択された当該コンテンツを特定する特定情報をコンテンツ表示支援装置に送信する第一端末選択手段と、第一端末選択手段により送信された特定情報を受信したコンテンツ表示支援装置から、当該特定情報が特定するコンテンツにリンクするリンク元に関するリンク元情報を受信するとともに、受信した当該リンク元情報を表示する第二端末受信手段と、を備えることを特徴とする。
【００１３】
本発明に係るコンテンツ表示端末では、まず、コンテンツ表示支援装置からサムネイル情報を受信するとともに、受信した当該サムネイル情報を表示する。次に、表示されたサムネイル情報が示す複数のコンテンツのうちいずれかのコンテンツの選択を受け付けるとともに、選択された当該コンテンツを特定する特定情報をコンテンツ表示支援装置に送信する。そして、送信された特定情報を受信したコンテンツ表示支援装置から、当該特定情報が特定するコンテンツにリンクするリンク元に関するリンク元情報を受信するとともに、受信したリンク元情報を表示する。このため、サムネイル情報が示すコンテンツの中からユーザによって選択されたコンテンツを特定する特定情報に基づいて、このコンテンツにリンクするリンク元に関するリンク元情報が表示される。これにより、このコンテンツにリンクしているため適切に関連している可能性が高いと考えられるリンク元情報がユーザに提示されるため、利便性を高めることが可能になる。
【００１４】
また、第二端末受信手段は、特定情報を受信したコンテンツ表示支援装置から、当該特定情報が特定するコンテンツにリンクする複数のリンク元のそれぞれに関する複数のリンク元情報の一覧をダイジェスト情報として受信するとともに、受信した当該ダイジェスト情報を表示するのも好ましい。
【００１５】
この構成により、特定情報が特定するコンテンツにリンクする複数のリンク元のそれぞれに関する複数のリンク元情報の一覧が、ダイジェスト情報としてコンテンツ表示端末により受信されて表示される。このように、このコンテンツにリンクしているため適切に関連している可能性が高いと考えられるリンク元情報がユーザに複数提示されるため、利便性を高めることが可能になる。
【００１６】
また、本発明に係るコンテンツ表示支援装置は、通信ネットワークにおけるコンテンツを表示するコンテンツ表示端末と通信可能なコンテンツ表示支援装置であって、複数のコンテンツの一覧をサムネイル情報として生成する生成手段と、生成手段により生成されたサムネイル情報をコンテンツ表示端末に送信する第一装置送信手段と、第一装置送信手段により送信されたサムネイル情報を受信したコンテンツ表示端末から、当該サムネイル情報が示す複数のコンテンツのうち当該コンテンツ表示端末において選択されたコンテンツを特定する特定情報を受信する第一装置受信手段と、第一装置受信手段により受信された特定情報が特定するコンテンツにリンクするリンク元に関するリンク元情報を、コンテンツ表示端末に送信して当該リンク元情報を表示させる第二装置送信手段と、を備えることを特徴とする。
【００１７】
本発明に係るコンテンツ表示支援装置では、まず、複数のコンテンツの一覧をサムネイル情報として生成し、生成されたサムネイル情報をコンテンツ表示端末に送信する。次に、送信されたサムネイル情報を受信したコンテンツ表示端末から、当該サムネイル情報が示す複数のコンテンツのうち当該コンテンツ表示端末において選択されたコンテンツを特定する特定情報を受信する。そして、受信された特定情報が特定するコンテンツにリンクするリンク元に関するリンク元情報を、コンテンツ表示端末に送信して当該リンク元情報を表示させる。このため、サムネイル情報が示すコンテンツの中からユーザによって選択されたコンテンツを特定する特定情報に基づいて、このコンテンツにリンクするリンク元に関するリンク元情報が表示される。これにより、このコンテンツにリンクしているため適切に関連している可能性が高いと考えられるリンク元情報がユーザに提示されるため、利便性を高めることが可能になる。
【００１８】
また、第一装置受信手段により受信された特定情報に基づいて、コンテンツ表示端末において選択されたコンテンツの重要度を算出する重要度算出手段を更に備え、第一装置送信手段は、重要度算出手段により算出された重要度に基づく表示順でコンテンツ表示端末において表示されるよう指示する重要度情報を含むサムネイル情報をコンテンツ表示端末に送信するのも好ましい。
【００１９】
この構成により、特定情報に基づいてコンテンツの重要度が算出され、算出された重要度に基づく表示順でコンテンツ表示端末において表示されるよう指示する重要度情報を含むサムネイル情報がコンテンツ表示端末に送信される。この結果、コンテンツ表示端末において選択された実績に基づく表示順でコンテンツ表示端末においてサムネイル情報が表示されるため、ユーザに対して提示されるサムネイル情報を、ユーザによって実際に選択されたという実績に基づいて並び替えて更新し、より適切なサムネイル情報をユーザに提示することが可能になる。
【００２０】
また、第二装置送信手段は、特定情報が特定するコンテンツにリンクする複数のリンク元のそれぞれに関する複数のリンク元情報の一覧をダイジェスト情報としてコンテンツ表示端末に送信して当該ダイジェスト情報を表示させ、第二装置送信手段により送信されたダイジェスト情報を受信したコンテンツ表示端末から、当該ダイジェスト情報が示す複数のリンク元情報のうち当該コンテンツ表示端末において選択されたリンク元情報を特定する選択情報を受信する第二装置受信手段と、第二装置受信手段により受信された選択情報が特定するリンク元情報によって示されるリンク元のコンテンツを特定するコンテンツ特定手段と、を更に備え、生成手段は、コンテンツ特定手段により特定されたコンテンツに基づいて、サムネイル情報を生成するのも好ましい。
【００２１】
この構成により、特定情報が特定するコンテンツにリンクする複数のリンク元のそれぞれに関する複数のリンク元情報の一覧が、ダイジェスト情報としてコンテンツ表示端末により受信されて表示される。このように、このコンテンツにリンクしているため適切に関連している可能性が高いと考えられるリンク元情報がユーザに複数提示されるため、利便性を高めることが可能になる。また、コンテンツ表示端末から、当該コンテンツ表示端末において選択されたリンク元情報を特定する選択情報を受信し、受信された選択情報が特定するリンク元情報によって示されるリンク元のコンテンツを特定する。そして、特定されたコンテンツに基づいて、サムネイル情報が生成される。このように、コンテンツ表示端末において選択されたリンク元情報に基づいて、リンク元のコンテンツに関するサムネイル情報が生成される。この結果、ユーザによって選択されたリンク情報に基づいて、ユーザに対して提示されるサムネイル情報が生成されるため、ユーザに対して提示されるサムネイル情報を、対応するリンク元情報が選択されたという実績に基づいて更新し、より適切なサムネイル情報をユーザに提示することが可能になる。
【００２２】
また、本発明に係るコンテンツ表示システムは、通信ネットワークにおけるコンテンツを表示するコンテンツ表示端末と、当該コンテンツ表示端末と通信可能なコンテンツ表示支援装置と、を有するコンテンツ表示システムであって、コンテンツ表示支援装置は、複数のコンテンツの一覧をサムネイル情報として生成する生成手段と、生成手段により生成されたサムネイル情報をコンテンツ表示端末に送信する第一装置送信手段と、第一装置送信手段により送信されたサムネイル情報を受信したコンテンツ表示端末から、当該サムネイル情報が示す複数のコンテンツのうち当該コンテンツ表示端末において選択されたコンテンツを特定する特定情報を受信する第一装置受信手段と、第一装置受信手段により受信された特定情報が特定するコンテンツにリンクするリンク元に関するリンク元情報を、コンテンツ表示端末に送信して当該リンク元情報を表示させる第二装置送信手段と、を備えることを特徴とする。
【００２３】
本発明に係るコンテンツ表示システムでは、まず、複数のコンテンツの一覧をサムネイル情報として生成し、生成されたサムネイル情報をコンテンツ表示端末に送信する。次に、送信されたサムネイル情報を受信したコンテンツ表示端末から、当該サムネイル情報が示す複数のコンテンツのうち当該コンテンツ表示端末において選択されたコンテンツを特定する特定情報を受信する。そして、受信された特定情報が特定するコンテンツにリンクするリンク元に関するリンク元情報を、コンテンツ表示端末に送信して当該リンク元情報を表示させる。このため、サムネイル情報が示すコンテンツの中からユーザによって選択されたコンテンツを特定する特定情報に基づいて、このコンテンツにリンクするリンク元に関するリンク元情報が表示される。これにより、このコンテンツにリンクしているため適切に関連している可能性が高いと考えられるリンク元情報がユーザに提示されるため、利便性を高めることが可能になる。
【００２４】
また、第二装置送信手段は、特定情報が特定するコンテンツにリンクする複数のリンク元のそれぞれに関する複数のリンク元情報の一覧をダイジェスト情報としてコンテンツ表示端末に送信して当該ダイジェスト情報を表示させ、コンテンツ表示支援装置は、第二装置送信手段により送信されたダイジェスト情報を受信したコンテンツ表示端末から、当該ダイジェスト情報が示す複数のリンク元情報のうち当該コンテンツ表示端末において選択されたリンク元情報を特定する選択情報を受信する第二装置受信手段と、第二装置受信手段により受信された選択情報が特定するリンク元情報によって示されるリンク元のコンテンツを特定するコンテンツ特定手段と、を更に備え、生成手段は、コンテンツ特定手段により特定されたコンテンツに基づいて、サムネイル情報を生成するのも好ましい。
【００２５】
この構成により、特定情報が特定するコンテンツにリンクする複数のリンク元のそれぞれに関する複数のリンク元情報の一覧が、ダイジェスト情報としてコンテンツ表示端末により受信されて表示される。このように、このコンテンツにリンクしているため適切に関連している可能性が高いと考えられるリンク元情報がユーザに複数提示されるため、利便性を高めることが可能になる。また、コンテンツ表示端末から、当該コンテンツ表示端末において選択されたリンク元情報を特定する選択情報を受信し、受信された選択情報が特定するリンク元情報によって示されるリンク元のコンテンツを特定する。そして、特定されたコンテンツに基づいて、サムネイル情報が生成される。このように、コンテンツ表示端末において選択されたリンク元情報に基づいて、リンク元のコンテンツに関するサムネイル情報が生成される。この結果、ユーザによって選択されたリンク情報に基づいて、ユーザに対して提示されるサムネイル情報が生成されるため、ユーザに対して提示されるサムネイル情報を、対応するリンク元情報が選択されたという実績に基づいて更新し、より適切なサムネイル情報をユーザに提示することが可能になる。
【００２６】
また、生成手段は、複数のコンテンツの一覧をサムネイル情報として予め生成し、第一装置送信手段は、生成手段により予め生成されたサムネイル情報をコンテンツ表示端末に送信するのも好ましい。
【００２７】
この構成により、複数のコンテンツの一覧がサムネイル情報として予め生成され、予め生成されたサムネイル情報がコンテンツ表示端末に送信される。このように、複数のコンテンツの一覧がサムネイル情報として予め生成されるため、サムネイル情報をコンテンツ表示端末に送信するのに必要な処理時間を短縮化することが可能になる。
【００２８】
また、第二装置送信手段は、第一装置受信手段により特定情報が受信されると、受信した当該特定情報に基づいてダイジェスト情報を生成してコンテンツ表示端末に送信し、当該ダイジェスト情報を表示させるのも好ましい。
【００２９】
この構成により、特定情報が受信されると、受信した当該特定情報に基づいてダイジェスト情報が生成されてコンテンツ表示端末に送信され、当該ダイジェスト情報が表示される。このように、ダイジェスト情報が予め生成されるのではなく、特定情報が受信されたタイミングでダイジェスト情報が生成されるため、より新しく適切なダイジェスト情報を生成してユーザに対して提示することが可能になる。
【００３０】
また、本発明に係るコンテンツ表示方法は、通信ネットワークにおけるコンテンツを表示するコンテンツ表示端末と、当該コンテンツ表示端末と通信可能なコンテンツ表示支援装置と、を備えるコンテンツ表示システムで行なわれるコンテンツ表示方法であって、複数のコンテンツの一覧をサムネイル情報としてコンテンツ表示支援装置が生成する生成ステップと、生成ステップで生成されたサムネイル情報をコンテンツ表示端末にコンテンツ表示支援装置が送信する第一装置送信ステップと、第一装置送信ステップで送信されたサムネイル情報を受信したコンテンツ表示端末から、当該サムネイル情報が示す複数のコンテンツのうち当該コンテンツ表示端末において選択されたコンテンツを特定する特定情報をコンテンツ表示支援装置が受信する第一装置受信ステップと、第一装置受信ステップで受信された特定情報が特定するコンテンツにリンクするリンク元に関するリンク元情報を、コンテンツ表示端末にコンテンツ表示支援装置が送信して当該リンク元情報を表示させる第二装置送信ステップと、を有することを特徴とする。
【００３１】
本発明に係るコンテンツ表示方法では、まず、複数のコンテンツの一覧をサムネイル情報として生成し、生成されたサムネイル情報をコンテンツ表示端末に送信する。次に、送信されたサムネイル情報を受信したコンテンツ表示端末から、当該サムネイル情報が示す複数のコンテンツのうち当該コンテンツ表示端末において選択されたコンテンツを特定する特定情報を受信する。そして、受信された特定情報が特定するコンテンツにリンクするリンク元に関するリンク元情報を、コンテンツ表示端末に送信して当該リンク元情報を表示させる。このため、サムネイル情報が示すコンテンツの中からユーザによって選択されたコンテンツを特定する特定情報に基づいて、このコンテンツにリンクするリンク元に関するリンク元情報が表示される。これにより、このコンテンツにリンクしているため適切に関連している可能性が高いと考えられるリンク元情報がユーザに提示されるため、利便性を高めることが可能になる。
【００３２】
また、第二装置送信ステップでは、特定情報が特定するコンテンツにリンクする複数のリンク元のそれぞれに関する複数のリンク元情報の一覧をダイジェスト情報としてコンテンツ表示端末にコンテンツ表示支援装置が送信して当該ダイジェスト情報を表示させ、第二装置送信ステップで送信されたダイジェスト情報を受信したコンテンツ表示端末から、当該ダイジェスト情報が示す複数のリンク元情報のうち当該コンテンツ表示端末において選択されたリンク元情報を特定する選択情報をコンテンツ表示支援装置が受信する第二装置受信ステップと、第二装置受信ステップで受信された選択情報が特定するリンク元情報によって示されるリンク元のコンテンツをコンテンツ表示支援装置が特定するコンテンツ特定ステップと、を更に有し、生成ステップでは、コンテンツ特定ステップで特定されたコンテンツに基づいて、サムネイル情報をコンテンツ表示支援装置が生成するのも好ましい。
【００３３】
この構成により、特定情報が特定するコンテンツにリンクする複数のリンク元のそれぞれに関する複数のリンク元情報の一覧が、ダイジェスト情報としてコンテンツ表示端末により受信されて表示される。このように、このコンテンツにリンクしているため適切に関連している可能性が高いと考えられるリンク元情報がユーザに複数提示されるため、利便性を高めることが可能になる。また、コンテンツ表示端末から、当該コンテンツ表示端末において選択されたリンク元情報を特定する選択情報を受信し、受信された選択情報が特定するリンク元情報によって示されるリンク元のコンテンツを特定する。そして、特定されたコンテンツに基づいて、サムネイル情報が生成される。このように、コンテンツ表示端末において選択されたリンク元情報に基づいて、リンク元のコンテンツに関するサムネイル情報が生成される。この結果、ユーザによって選択されたリンク情報に基づいて、ユーザに対して提示されるサムネイル情報が生成されるため、ユーザに対して提示されるサムネイル情報を、対応するリンク元情報が選択されたという実績に基づいて更新し、より適切なサムネイル情報をユーザに提示することが可能になる。
【００３４】
また、本発明に係るコンテンツ表示支援装置は、通信ネットワークにおける複数のコンテンツの一覧をサムネイル情報として表示するコンテンツ表示端末と通信可能であるとともに、当該サムネイル情報を生成して当該コンテンツ表示端末に送信可能なコンテンツ表示支援装置であって、当該コンテンツ表示支援装置から送信されたサムネイル情報を受信したコンテンツ表示端末から、当該サムネイル情報が示す複数のコンテンツのうち当該コンテンツ表示端末において選択されたコンテンツを特定する特定情報を受信する情報受信手段と、情報受信手段により受信された特定情報が特定するコンテンツにリンクするリンク元を特定するリンク元特定手段と、リンク元特定手段により特定されたリンク元に関連する関連ページを特定する関連特定手段と、関連特定手段により特定された関連ページのコンテンツを特定する関連コンテンツ特定手段と、を備え、サムネイル情報は、関連コンテンツ特定手段により特定されたコンテンツに基づいて生成される、ことを特徴とする。
【００３５】
本発明に係るコンテンツ表示支援装置では、まず、当該コンテンツ表示支援装置からのサムネイル情報を受信したコンテンツ表示端末から、当該サムネイル情報が示す複数のコンテンツのうち当該コンテンツ表示端末において選択されたコンテンツを特定する特定情報を受信する。そして、受信された特定情報が特定するコンテンツにリンクするリンク元を特定し、特定されたリンク元に関連する関連ページを特定した後で、特定された関連ページのコンテンツを特定し、特定されたコンテンツに基づいてサムネイル情報を生成する。このため、ユーザによって選択されたコンテンツを特定する特定情報に基づいて、このコンテンツにリンクするリンク元が特定され、リンク元に関連する関連ページが特定された後で、関連ページのコンテンツが特定されてサムネイル情報が生成される。即ち、ユーザによって選択されたコンテンツを特定する特定情報に基づいて生成された関連ページのコンテンツのサムネイル情報がコンテンツ表示端末に送信される。これにより、ユーザによって選択されたコンテンツに適切に関連している可能性が高いと考えられるサムネイル情報がユーザに提示されるため、利便性を高めることが可能になる。
【００３６】
また、情報受信手段により受信された特定情報に基づいて、コンテンツ表示端末において選択されたコンテンツの重要度を算出する重要度算出手段を更に備え、サムネイル情報は、重要度算出手段により算出された重要度に基づく表示順でコンテンツ表示端末において表示されるよう指示する重要度情報を含むのも好ましい。
【００３７】
この構成により、特定情報に基づいてコンテンツの重要度が算出され、算出された重要度に基づく表示順でコンテンツ表示端末において表示されるよう指示する重要度情報を含むサムネイル情報がコンテンツ表示端末に送信される。この結果、コンテンツ表示端末において選択された実績に基づく表示順でコンテンツ表示端末においてサムネイル情報が表示されるため、ユーザに対して提示されるサムネイル情報を、ユーザによって実際に選択されたという実績に基づいて並び替えて更新し、より適切なサムネイル情報をユーザに提示することが可能になる。
【発明の効果】
【００３８】
本発明によれば、サムネイル表示されたコンテンツの中から興味を持ったコンテンツを選択したユーザに対して、このコンテンツに適切に関連している可能性が高いと考えられる情報を提示することが可能なコンテンツ表示端末、コンテンツ表示支援装置、コンテンツ表示システム、及びコンテンツ表示方法を提供することができる。
【図面の簡単な説明】
【００３９】
【図１】コンテンツ表示システムの全体構成の概略を説明するための構成図である。
【図２】移動通信端末の機能構成を説明するための機能構成図である。
【図３】移動通信端末の物理構成を説明するための物理構成図である。
【図４】情報提供サーバの機能構成を説明するための機能構成図である。
【図５】情報提供サーバの物理構成を説明するための物理構成図である。
【図６】コンテンツ表示処理の流れを示すシーケンス図である。
【図７】コンテンツ表示システムの全体構成の概略を説明するための構成図である。
【図８】情報提供サーバの機能構成を説明するための機能構成図である。
【図９】コンテンツ表示処理の流れを示すシーケンス図である。
【図１０】コンテンツ表示システムの全体構成の概略を説明するための構成図である。
【図１１】移動通信端末の機能構成を説明するための機能構成図である。
【図１２】情報提供サーバの機能構成を説明するための機能構成図である。
【図１３】コンテンツ表示処理の流れを示すシーケンス図である。
【発明を実施するための形態】
【００４０】
以下、添付図面を参照しながら本発明の好適な実施形態を説明する。なお、図面の説明において同一要素には同一符号を付し、重複する説明を省略する。
【００４１】
（１）第一実施形態に係るコンテンツ表示システムの構成
まず、第一実施形態に係るコンテンツ表示システムについて、図１を用いて説明する。図１は、このコンテンツ表示システム１の全体構成の概略を説明するための構成図である。コンテンツ表示システム１は、サムネイル表示されたコンテンツの中から興味を持ったコンテンツを選択したユーザに対して、このコンテンツに適切に関連している可能性が高いと考えられる情報を提示するシステムである。
【００４２】
ここでは、コンテンツは、動画像データや静止画像データや音声データや音楽データのことを意味するとし、例えばＭＰＥＧ、ＡＶＩ、ＡＳＦ、ＦＬＶ等の形式による音声動画ファイルや、ＴＩＦＦ、ＪＰＥＧ、ＧＩＦ、ＰＮＧ等の形式による静止画像ファイル等である。コンテンツは動画像データや静止画像データや音声データや音楽データ等であれば特に限定されることはなく、例えばＷＭＶ形式の音声動画ファイルであってもよく、ＢＭＰ形式の静止画像ファイルであってもよい。
【００４３】
コンテンツ表示システム１は、図１に示されるように、携帯電話機やＰＣ（即ち、パーソナルコンピュータ）等の移動通信端末２（コンテンツ表示端末）、及び、ウェブサーバ等の情報提供サーバ３（コンテンツ表示支援装置）を有して構成されており、移動通信端末２及び情報提供サーバ３は、インターネット通信網や移動通信網等により構成されている通信ネットワーク４を介して互いに通信可能である。
【００４４】
コンテンツ表示システム１において行われる処理の概要として、まず、情報提供サーバ３が、通信ネットワーク４における複数のコンテンツの一覧をサムネイル情報として生成し、通信ネットワーク４を介して移動通信端末２に送信する。このサムネイル情報を受信した移動通信端末２は、ユーザによって選択されたコンテンツを特定する選択情報を、通信ネットワーク４を介して情報提供サーバ３に送信する。
【００４５】
サムネイル情報は、視認範囲の限られた移動通信端末２やＰＣのディスプレイ上で示される、コンテンツの概要の視認速度（即ち、視認の容易性）を向上させるための情報であり、例えばコンテンツの縮小画像等で表示されたものである。サムネイル情報は、通常、このサムネイル情報と対応するコンテンツに一意に関連付けられる。なお、コンテンツが音声ファイルや音楽ファイルである場合、このコンテンツに対応するサムネイル情報は、音声ファイルや音楽ファイルであることを示すアイコンか、音声ファイルや音楽ファイルに関連付けられる画像ファイルの縮小画像である。
【００４６】
次に、選択情報を受信した情報提供サーバ３は、このコンテンツにリンクする（即ち、このコンテンツを参照している）複数のリンク元ウェブページ（参照元ウェブページ）のそれぞれに関するテキストデータや画像データ等の情報（リンク元情報）を一部抜粋した要約を示すダイジェスト情報を、通信ネットワーク４を介して移動通信端末２に送信する。このダイジェスト情報を受信した移動通信端末２は、ユーザによって選択されたリンク元ウェブページを特定する選択情報を、通信ネットワーク４を介して情報提供サーバ３に送信する。
【００４７】
（２）移動通信端末の構成
次に、本実施形態に係る移動通信端末について、図２及び図３を用いて説明する。図２は、移動通信端末２の機能構成を説明するための機能構成図であり、図３は、移動通信端末２の物理構成を説明するための物理構成図である。移動通信端末２は、図３に示されるように、物理的な構成要素としてＣＰＵ２０１、ＲＡＭ２０２、ＲＯＭ２０３、操作部２０４、無線通信部２０５、ディスプレイ２０６、及びアンテナ２０７等のハードウェアにより構成されている。これらの構成要素が動作することにより、以下に説明する各機能が発揮される。
【００４８】
また、移動通信端末２は、図２に示されるように、機能的な構成要素として第一表示部２１（第一端末受信手段）、第一選択部２２（第一端末選択手段）、第二表示部２３（第二端末受信手段）、及び第二選択部２４（第二端末選択手段）を有している。
【００４９】
第一表示部２１は、情報提供サーバ３からサムネイル情報を受信するとともに、このサムネイル情報を表示する通信部分及びディスプレイ部分である。
【００５０】
第一選択部２２は、第一表示部２１により表示されたサムネイル情報が示す複数のコンテンツのうちいずれかのコンテンツの、ユーザによる選択を受け付けるユーザインタフェース部分である。第一選択部２２は、選択されたコンテンツを特定する特定情報を、情報提供サーバ３に送信する。
【００５１】
ここで、特定情報は、例えば、後述する情報提供サーバ３のサムネイル取得部３１においてサムネイル情報が生成される際に割り振られてサムネイル情報と共に移動通信端末２に送信された、コンテンツのそれぞれを一意に特定するためのＩＤ又は通し番号等である。
【００５２】
第二表示部２３は、第一選択部２２により送信された特定情報を受信した情報提供サーバ３から、特定情報が特定するコンテンツにリンクする（即ち、このコンテンツを参照している）リンク元に関するリンク元情報を受信する通信部分である。第二表示部２３は、受信したリンク元情報を表示する。
【００５３】
なお、第二表示部２３は、第一選択部２２により送信された特定情報を受信した情報提供サーバ３から、特定情報が特定するコンテンツにリンクする複数のリンク元のそれぞれに関する複数のリンク元情報の一覧を、ダイジェスト情報として受信する。即ち、ダイジェスト情報は、リンク元情報の要約が複数含まれている情報である。第二表示部２３は、受信したダイジェスト情報を表示する。
【００５４】
第二選択部２４は、第二表示部２３により表示されたダイジェスト情報が示す複数のリンク元情報のうちいずれかのリンク元情報の、ユーザによる選択を受け付けるユーザインタフェース部分である。第二選択部２４は、選択されたリンク元情報を特定する選択情報を、情報提供サーバ３に送信する。
【００５５】
ここで、選択情報は、例えば、後述する情報提供サーバ３の参照元特定部３４においてリンク元ウェブページが特定される際に割り振られてダイジェスト情報と共に移動通信端末２に送信された、リンク元ウェブページのそれぞれを一意に特定するためのＩＤ又は通し番号等である。
【００５６】
（３）情報提供サーバの構成
次に、本実施形態に係る情報提供サーバについて、図４及び図５を用いて説明する。図４は、情報提供サーバ３の機能構成を説明するための機能構成図であり、図５は、情報提供サーバ３の物理構成を説明するための物理構成図である。情報提供サーバ３は、図５に示されるように、物理的な構成要素としてＣＰＵ３０１（Central Processing Unit）、主記憶装置であるＲＡＭ３０２（Random Access Memory）及びＲＯＭ３０３（Read Only Memory）、通信を行うための通信モジュール３０４、並びにハードディスク等の補助記憶装置３０５等のハードウェアを備えるコンピュータとして構成される。これらの構成要素が動作することにより、情報提供サーバ３の機能が発揮される。
【００５７】
また、情報提供サーバ３は、図４に示されるように、機能的な構成要素としてサムネイル取得部３１（生成手段）、第一送信部３２（第一装置送信手段）、第一受信部３３（第一装置受信手段）、参照元特定部３４（コンテンツ特定手段）、ダイジェスト情報取得部３５（コンテンツ特定手段）、第二送信部３６（第二装置送信手段）、第二受信部３７（第二装置受信手段）、関連ページ特定部３８（コンテンツ特定手段）、参照先特定部３９（コンテンツ特定手段）、及び入力部４０（生成手段）を有している。
【００５８】
サムネイル取得部３１は、複数のコンテンツの一覧をサムネイル情報として生成する演算部分である。サムネイル取得部３１は、複数のコンテンツの一覧をサムネイル情報として、予め生成しておいてもよく、また、入力部４０からコンテンツに関する情報を入力されたときに、動的に生成してもよい。
【００５９】
第一送信部３２は、サムネイル取得部３１により予め生成された、または動的に生成されたサムネイル情報を、移動通信端末２に送信する通信部分である。
【００６０】
第一受信部３３は、第一送信部３２により送信されたサムネイル情報を受信した移動通信端末２から、このサムネイル情報が示す複数のコンテンツのうち移動通信端末２において選択されたコンテンツを特定する特定情報を受信する通信部分である。
【００６１】
参照元特定部３４は、第一受信部３３により受信された特定情報が特定するコンテンツにリンクする（即ち、このコンテンツを参照している）複数のリンク元ウェブページのそれぞれに関する情報（リンク元情報）を特定する演算部分である。リンク元ウェブページとは、例えば、このコンテンツを特定してリンクするためのＵＲＬ等が記述されたＨＴＭＬ文書ファイルである。
【００６２】
ダイジェスト情報取得部３５は、参照元特定部３４により特定されたリンク元情報の一覧を、リンク元ウェブページのそれぞれの概要を示すダイジェスト情報として生成する演算部分である。ダイジェスト情報は、例えば、リンク元ウェブページのそれぞれに関するテキストデータ１００文字分を上限として一部抜粋した情報である。
【００６３】
第二送信部３６は、参照元特定部３４により特定されたリンク元情報を、移動通信端末２に送信することによって、このリンク元情報を移動通信端末２において表示させる通信部分である。
【００６４】
なお、第二送信部３６は、第一受信部３３により特定情報が受信されると、受信されたこの特定情報に基づいて、ダイジェスト情報取得部３５とともにダイジェスト情報を生成して移動通信端末２に送信することによって、このダイジェスト情報を移動通信端末２において表示させる。
【００６５】
第二受信部３７は、第二送信部３６により送信されたダイジェスト情報を受信した移動通信端末２から、このダイジェスト情報が示す複数のリンク元情報のうち移動通信端末２において選択されたリンク元情報を特定する選択情報を受信する通信部分である。
【００６６】
関連ページ特定部３８は、第二受信部３７により受信された選択情報が特定するリンク元情報によって示されるリンク元ウェブページに関連する関連ウェブページを特定する演算部分である。
【００６７】
参照先特定部３９は、関連ページ特定部３８により特定された関連ウェブページのコンテンツと、この関連ウェブページ内で参照されているコンテンツとを特定する演算部分である。関連ウェブページ内で参照されているコンテンツの特定は、例えば、ＨＴＭＬ文書ファイルに埋め込まれて記述されている、コンテンツを特定してリンクするためのＵＲＬ等を、参照先特定部３９が検索して抽出することによって行なわれる。
【００６８】
入力部４０は、参照先特定部３９により特定されたコンテンツに関する情報（例えば、このコンテンツを特定する情報）を、サムネイル取得部３１に入力することによって、サムネイル取得部３１に、入力されたコンテンツに関する情報に基づいたサムネイル情報を生成させる演算部分である。
【００６９】
（４）コンテンツ表示処理の流れ
次に、本実施形態に係るコンテンツ表示システム１で実行されるコンテンツ表示処理の流れ（コンテンツ表示方法）について、図６を用いて説明する。図６は、コンテンツ表示システム１で実行されるコンテンツ表示処理の流れを示すシーケンス図である。
【００７０】
まず、情報提供サーバ３のサムネイル取得部３１が、複数のコンテンツの一覧に基づいて、サムネイル情報を生成して取得する（ステップＳ０１、生成ステップ）。そして、情報提供サーバ３の第一送信部３２が、サムネイル取得部３１により生成されたサムネイル情報を、移動通信端末２に送信する（ステップＳ０２、第一装置送信ステップ）。
【００７１】
次に、移動通信端末２の第一表示部２１が、情報提供サーバ３からサムネイル情報を受信して、このサムネイル情報をユーザに対して表示する（ステップＳ０３）。これにより、移動通信端末２のユーザは、このサムネイル情報を視認することが可能になる。そして、移動通信端末２の第一選択部２２が、第一表示部２１により表示されたサムネイル情報が示す複数のコンテンツのうちいずれかのコンテンツの、ユーザによる選択を受け付ける。
【００７２】
次に、移動通信端末２の第一選択部２２が、ユーザにより選択されたコンテンツを特定する特定情報を、情報提供サーバ３に送信する（ステップＳ０４）。そして、情報提供サーバ３の第一受信部３３が、移動通信端末２から特定情報を受信して（第一装置受信ステップ）、参照元特定部３４が、この特定情報が特定するコンテンツにリンクする（即ち、このコンテンツを参照している）複数のリンク元ウェブページ（参照元ウェブページ）のそれぞれに関する情報（リンク元情報）を特定する（ステップＳ０５）。
【００７３】
次に、情報提供サーバ３のダイジェスト情報取得部３５及び第二送信部３６が、参照元特定部３４により特定されたリンク元情報の一覧に基づいて、リンク元ウェブページのそれぞれの概要を示すダイジェスト情報を生成する（ステップＳ０６）。そして、第二送信部３６が、生成されたダイジェスト情報を移動通信端末２に送信する（ステップＳ０７、第二装置送信ステップ）ことによって、このダイジェスト情報を移動通信端末２において表示させる。
【００７４】
次に、移動通信端末２の第二表示部２３が、情報提供サーバ３からダイジェスト情報を受信して、このダイジェスト情報をユーザに対して表示する（ステップＳ０８）。これにより、移動通信端末２のユーザは、このダイジェスト情報を視認することが可能になる。そして、移動通信端末２の第二選択部２４が、第二表示部２３により表示されたダイジェスト情報が示す複数のリンク元情報のうちいずれかのリンク元情報の、ユーザによる選択を受け付ける。
【００７５】
次に、移動通信端末２の第二選択部２４が、ユーザにより選択されたリンク元情報を特定する選択情報を、情報提供サーバ３に送信する（ステップＳ０９）。そして、情報提供サーバ３の第二受信部３７が、移動通信端末２から選択情報を受信して（第二装置受信ステップ）、関連ページ特定部３８が、受信された選択情報が特定するリンク元情報によって示されるリンク元ウェブページに関連する関連ウェブページを特定する（ステップＳ１０）。
【００７６】
次に、情報提供サーバ３の参照先特定部３９が、特定された関連ウェブページのコンテンツと、この関連ウェブページ内で参照されているコンテンツとを特定する（ステップＳ１１、コンテンツ特定ステップ）。そして、入力部４０が、特定されたコンテンツに関する情報（例えば、このコンテンツを特定する情報）を、サムネイル取得部３１に入力する（ステップＳ１２）。これによって、再度、ステップＳ０１から始まる一連の処理への移行が行なわれ、サムネイル取得部３１は、入力されたコンテンツに基づいたサムネイル情報を生成する。
【００７７】
（５）本発明による作用及び効果
サムネイル情報が示すコンテンツの中から興味を持った又は共感を覚えたユーザによって選択されたコンテンツを特定する特定情報に基づいて、このコンテンツにリンクするリンク元ウェブページに関するリンク元情報が表示される。これにより、このコンテンツにリンクしていることから何らかの説明又は評価がされていて信頼性を有すると考えられ、適切に関連している可能性が高いと考えられるリンク元情報がユーザに提示されるため、利便性を高めることが可能になる。
【００７８】
また、特定情報が特定するコンテンツにリンクする複数のリンク元ウェブページのそれぞれに関する複数のリンク元情報の一覧が、ダイジェスト情報として移動通信端末２により受信されて表示される。このように、このコンテンツにリンクしているため適切に関連している可能性が高いと考えられるリンク元情報がユーザに複数提示されるため、利便性を高めることが可能になる。この結果、関連した情報であるとしてサムネイル表示されているコンテンツのうちいずれかをユーザが選択することにより、適切に関連した情報を得ることが容易になる。このため、膨大な数のコンテンツを効率的に閲覧することも可能になる。
【００７９】
また、移動通信端末２において選択されたリンク元情報に基づいて、リンク元のコンテンツに関するサムネイル情報が生成される。この結果、ユーザによって選択されたリンク情報に基づいて、ユーザに対して提示されるサムネイル情報が生成されるため、ユーザに対して提示されるサムネイル情報を、対応するリンク元情報がユーザによって選択されたという実績に基づいて更新し、より適切なサムネイル情報をユーザに提示することが可能になる。
【００８０】
また、複数のコンテンツの一覧がサムネイル情報として予め生成されるため、サムネイル情報を移動通信端末２に送信するのに必要な処理時間を短縮化することが可能になる。
【００８１】
また、特定情報が受信されたタイミングでダイジェスト情報が生成されるため、より新しく適切なダイジェスト情報を生成してユーザに対して提示することが可能になる。
【００８２】
（６）変形例
上記の実施例では、移動通信端末２及び情報提供サーバ３はそれぞれ一つであるとして説明したが、これらの数は特に限定されず、例えばこれらは複数であってもよい。また、上記の実施例では、コンテンツ表示端末として移動通信端末２とする構成としたが、移動通信端末２の代わりにＰＣであってもよい。
【００８３】
（７）第二実施形態に係るコンテンツ表示システムの構成
次に、第二実施形態に係るコンテンツ表示システムについて、図７を用いて説明する。図７は、このコンテンツ表示システム１１の全体構成の概略を説明するための構成図である。コンテンツ表示システム１１は、サムネイル表示されたコンテンツの中から興味を持ったコンテンツを選択したユーザに対して、このコンテンツに適切に関連している可能性が高いと考えられる情報を提示するシステムである。このコンテンツは、第一実施形態におけるコンテンツと同じものであり説明を割愛する。
【００８４】
コンテンツ表示システム１１は、図７に示されるように、携帯電話機やＰＣ（即ち、パーソナルコンピュータ）等の移動通信端末２（コンテンツ表示端末）、及び、ウェブサーバ等の情報提供サーバ１３（コンテンツ表示支援装置）を有して構成されており、移動通信端末２及び情報提供サーバ１３は、インターネット通信網や移動通信網等により構成されている通信ネットワーク４を介して互いに通信可能である。
【００８５】
コンテンツ表示システム１１において行われる処理の概要として、まず、情報提供サーバ１３が、通信ネットワーク４における複数のコンテンツの一覧をサムネイル情報として生成し、通信ネットワーク４を介して移動通信端末２に送信する。このサムネイル情報を受信した移動通信端末２は、ユーザによって選択されたコンテンツを特定する特定情報を、通信ネットワーク４を介して情報提供サーバ１３に送信する。このサムネイル情報は、第一実施形態におけるサムネイル情報と同じものであり説明を割愛する。
【００８６】
次に、特定情報を受信した情報提供サーバ１３は、この特定情報に基づいてコンテンツの重要度を算出する。また、情報提供サーバ１３は、このコンテンツにリンクする（即ち、このコンテンツを参照乃至言及している）複数のリンク元ウェブページ（参照元ウェブページ）のそれぞれに関連する関連ウェブページを特定する。そして、情報提供サーバ１３は、この関連ウェブページによって参照されているコンテンツを特定して、上記のサムネイル情報が上記の重要度に基づく表示順で表示されるよう上記のサムネイル情報を生成する。
【００８７】
即ち、ユーザによって選択されたコンテンツを特定する特定情報に基づいて生成された関連ウェブページのコンテンツがサムネイル情報として生成され、移動通信端末２に送信されて上記の表示順で表示される。これにより、ユーザによって選択されたコンテンツに適切に関連している可能性が高いと考えられるサムネイル情報が、ユーザによって実際に選択されたという実績に基づいて適切に並び替えられてユーザに提示されるようになるため、利便性を高めることが可能になる。
【００８８】
なお、以下では、リンク元ウェブページや関連ウェブページといった「ウェブページ」は、単にウェブページだけを意味するのではなく、ウェブページの集合体としてのウェブサイトも意味することとする。
【００８９】
（８）情報提供サーバの構成
次に、本実施形態に係る情報提供サーバについて、図８及び図５を用いて説明する。図８は、情報提供サーバ１３の機能構成を説明するための機能構成図であり、図５は、情報提供サーバ１３の物理構成を説明するための物理構成図である。情報提供サーバ１３は、図５に示されるように、物理的な構成要素としてＣＰＵ３０１（Central Processing Unit）、主記憶装置であるＲＡＭ３０２（Random Access Memory）及びＲＯＭ３０３（Read Only Memory）、通信を行うための通信モジュール３０４、並びにハードディスク等の補助記憶装置３０５等のハードウェアを備えるコンピュータとして構成される。これらの構成要素が動作することにより、情報提供サーバ７の機能が発揮される。
【００９０】
また、情報提供サーバ１３は、図８に示されるように、機能的な構成要素としてサムネイル取得部１３１（生成手段）、第一送信部１３２（第一装置送信手段）、第一受信部１３３（第一装置受信手段）、参照元特定部１３４（コンテンツ特定手段）、ダイジェスト情報取得部１３５（コンテンツ特定手段）、第二送信部１３６（第二装置送信手段）、第二受信部１３７（第二装置受信手段）、関連ページ特定部１３８（コンテンツ特定手段）、参照先特定部１３９（コンテンツ特定手段）、入力部１４０（生成手段）、及び重要度算出部１４１（重要度算出手段）を有している。
【００９１】
サムネイル取得部１３１は、複数のコンテンツの一覧をサムネイル情報として生成する演算部分である。サムネイル取得部１３１は、複数のコンテンツの一覧をサムネイル情報として、予め生成しておいてもよく、また、入力部１４０からコンテンツに関する情報を入力されたときに、動的に生成してもよい。また、サムネイル取得部１３１は、重要度算出部１４１により算出された後述の第二重要度に基づく第二重要度情報を含むサムネイル情報を生成することが可能である。
【００９２】
第一送信部１３２は、サムネイル取得部１３１により予め生成された、または動的に生成されたサムネイル情報を、移動通信端末２に送信する通信部分である。第一送信部１３２は、重要度算出部１４１により算出された後述の第二重要度に基づく第二重要度情報を含むサムネイル情報を、移動通信端末２に送信することが可能である。これにより、この第二重要度の大きい順に基づく表示順に従った複数のコンテンツの表示一覧から生成されたサムネイル情報が、移動通信端末２において表示される。
【００９３】
第一受信部１３３は、第一送信部１３２により送信されたサムネイル情報を受信した移動通信端末２から、このサムネイル情報が示す複数のコンテンツのうち移動通信端末２において選択されたコンテンツを特定する特定情報を受信する通信部分である。
【００９４】
参照元特定部１３４は、第一受信部１３３により受信された特定情報が特定するコンテンツにリンクする（即ち、このコンテンツを参照している）複数のリンク元ウェブページのそれぞれに関する情報（リンク元情報）を特定する演算部分である。リンク元ウェブページとは、例えば、このコンテンツを特定してリンクするためのＵＲＬ等が記述されたＨＴＭＬ文書ファイルである。
【００９５】
ダイジェスト情報取得部１３５は、参照元特定部１３４により特定されたリンク元情報の一覧を、リンク元ウェブページのそれぞれの概要を示すダイジェスト情報として生成する演算部分である。ダイジェスト情報は、例えば、リンク元ウェブページのそれぞれに関するテキストデータ１００文字分を上限として一部抜粋した情報である。ダイジェスト情報取得部１３５は、重要度算出部１４１により生成された後述の第一重要度情報に基づく第一重要度情報を含むダイジェスト情報を生成することが可能である。
【００９６】
第二送信部１３６は、ダイジェスト情報取得部１３５により生成されたダイジェスト情報を、移動通信端末２に送信することによって、このダイジェスト情報を移動通信端末２において表示させる通信部分である。なお、第二送信部１３６は、第一受信部１３３により特定情報が受信されると、受信されたこの特定情報に基づいて、ダイジェスト情報取得部１３５とともにダイジェスト情報を生成して移動通信端末２に送信することによって、このダイジェスト情報を移動通信端末２において表示させる。これにより、上記の第一重要度の大きい順に基づく表示順に従った複数のリンク元ウェブページの表示一覧から生成されるダイジェスト情報（及びサムネイル情報）が、移動通信端末２において表示される。
【００９７】
第二受信部１３７は、第二送信部１３６により送信されたダイジェスト情報を受信した移動通信端末２から、このダイジェスト情報が示す複数のリンク元情報のうち移動通信端末２において選択されたリンク元情報を特定する選択情報を受信する通信部分である。
【００９８】
関連ページ特定部１３８は、第二受信部１３７により受信された選択情報が特定するリンク元情報によって示されるリンク元ウェブページに関連する関連ウェブページを特定する演算部分である。選択情報とリンク元ウェブページとは、関連ページ特定部１３８によって関連付けられて記憶される。
【００９９】
参照先特定部１３９は、関連ページ特定部１３８により特定された関連ウェブページのコンテンツと、この関連ウェブページ内で参照されているコンテンツとを特定する演算部分である。関連ウェブページ内で参照されているコンテンツの特定は、例えば、ＨＴＭＬ文書ファイルに埋め込まれて記述されている、コンテンツを特定してリンクするためのＵＲＬ等を、参照先特定部１３９が検索して抽出することによって行なわれる。
【０１００】
入力部１４０は、参照先特定部１３９により特定されたコンテンツに関する情報（例えば、このコンテンツを特定する情報）を、サムネイル取得部１３１に入力することによって、サムネイル取得部１３１に、入力されたコンテンツに関する情報に基づいたサムネイル情報を生成させる演算部分である。入力部１４０は、重要度算出部１４１により生成された後述の第二重要度情報に基づいてサムネイル情報を生成させる。
【０１０１】
重要度算出部１４１は、第一受信部１３３により受信された特定情報に基づいて、移動通信端末２において選択されたコンテンツの第一重要度を算出する演算部分である。第一重要度は、移動通信端末２において選択された実績としての選択回数に基づいて推測される重要性の度合いを示す数値である。重要度算出部１４１は、この第一重要度の大きい順に基づく表示順に従った複数のリンク元情報の表示一覧から生成されるダイジェスト情報（及びサムネイル情報）が移動通信端末２において表示されるよう指示する第一重要度情報を生成することが可能である。この第一重要度情報は、移動通信端末２において選択されたコンテンツと関連付けられて重要度算出部１４１により記憶される。
【０１０２】
また、重要度算出部１４１は、第二受信部１３７により受信された選択情報に基づいて、移動通信端末２において選択されたリンク元情報の第二重要度を算出する。第二重要度は、移動通信端末２において選択された実績としての選択回数に基づいて推測される重要性の度合いを示す数値である。重要度算出部１４１は、この第二重要度の大きい順に基づく表示順に従った複数のコンテンツの表示一覧から生成されたサムネイル情報が移動通信端末２において表示されるよう指示する第二重要度情報を生成することが可能である。この第二重要度情報は、移動通信端末２において選択されたリンク元情報と関連付けられて重要度算出部１４１により記憶される。
【０１０３】
（９）重要度算出部による第一重要度及び第二重要度の算出方法の第一例
次に、重要度算出部１４１による、特定情報に基づく第一重要度の算出方法及び、選択情報に基づく第二重要度の算出方法の第一例について説明する。ここでの第一重要度及び第二重要度の算出方法は、多くの良質な（即ち、利用者であるユーザから信頼されて、コンテンツを選択する際に参考にして閲覧されている）ウェブページから参照されている（即ち、リンクされている）コンテンツは、良質なコンテンツであるとみなすことができるという考えに基づいている。ここでの第一重要度及び第二重要度の算出には、参照元ウェブページの質（即ち、第一重要度や第二重要度）、及び参照元ウェブページの参照数（即ち、参照元ウェブページがリンクするコンテンツの数）という二要素が変数として用いられる。
【０１０４】
まず、重要度算出部１４１による、特定情報に基づく第一重要度の算出方法について説明する。最初に、ユーザが、移動通信端末２において表示されたリンク元ウェブページのそれぞれの概要を示すダイジェスト情報を経由（即ち、参照）した後で、これら複数のリンク元ウェブページのそれぞれが参照している（即ち、リンクしている）コンテンツに基づいて生成されたサムネイル情報が示す複数のコンテンツのうち何れかを選択する。次に、ユーザが利用する移動通信端末２から、このサムネイル情報が示す複数のコンテンツのうち移動通信端末２において選択されたコンテンツを特定する特定情報を受信する。
【０１０５】
そして、特定されたこのコンテンツを参照する（即ち、このコンテンツにリンクしている）リンク元ウェブページが保有する（即ち、関連ページ特定部１３８によってこのリンク元ウェブページと関連付けられて記憶されている）第一重要度が所定度数分、加算される。これにより、ユーザが参照元ウェブサイトとしてのリンク元ウェブページを参考にしてコンテンツ情報を選択したとみなされる。ここでは、リンク元情報としての参照元ウェブページＷ１の第一重要度が９点から１０点に増加したとする。
【０１０６】
次に、重要度算出部１４１による、選択情報に基づく第二重要度の算出方法について説明する。ここで、参照元ウェブページＷ１の第一重要度は１０点であり、参照元ウェブページＷ１がリンクするコンテンツはコンテンツＣ１，Ｃ２の二つであるとする。同様に、参照元ウェブページＷ２の第一重要度は１点であって参照元ウェブページＷ２がリンクするコンテンツはコンテンツＣ２の一つであり、参照元ウェブページＷ３の第一重要度は５点であって参照元ウェブページＷ３がリンクするコンテンツはコンテンツＣ２〜Ｃ６の五つであり、参照元ウェブページＷ４の第一重要度は３点であって参照元ウェブページＷ４がリンクするコンテンツはコンテンツＣ１，Ｃ２の二つであり、参照元ウェブページＷ５の第一重要度は１２点であって参照元ウェブページＷ５がリンクするコンテンツはコンテンツＣ１の一つであるとする。
【０１０７】
このとき、第二送信部１３６により送信されたダイジェスト情報を受信した移動通信端末２から、このダイジェスト情報が示す複数のリンク元情報のうち移動通信端末２において選択されたリンク元情報を特定する選択情報を受信すると、上記の参照元ウェブページＷ１〜Ｗ５のそれぞれの第一重要度に基づいて、上記のコンテンツＣ１，Ｃ２のそれぞれに関する第二重要度が重要度算出部１４１によって算出される。例えば、コンテンツＣ１に関する第二重要度は、コンテンツＣ１にリンクする参照元ウェブページＷ１，Ｗ４，Ｗ５のそれぞれにおけるコンテンツＣ１に対する重み（即ち、重要度）の総和である。参照元ウェブページＷ１におけるコンテンツＣ１（，Ｃ２のそれぞれ）に対する重みは、参照元ウェブページＷ１に付与された第一重要度（即ち、１０点）を、この参照元ウェブページＷ１がリンク（参照）するコンテンツの総数（即ち、２）で除して得られる数値（即ち、５点）である。
【０１０８】
同様に、参照元ウェブページＷ４におけるコンテンツＣ１（，Ｃ２のそれぞれ）に対する重みは、参照元ウェブページＷ４に付与された第一重要度（即ち、３点）を、参照元ウェブページＷ４がリンクするコンテンツの総数（即ち、２）で除して得られる数値（即ち、１．５点）である。また、参照元ウェブページＷ５におけるコンテンツＣ１に対する重みは、参照元ウェブページＷ５に付与された第一重要度（即ち、１２点）を、参照元ウェブページＷ５がリンクするコンテンツの総数（即ち、１）で除して得られる数値（即ち、１２点）である。このため、コンテンツＣ１に関する第二重要度は、コンテンツＣ１にリンクする参照元ウェブページＷ１，Ｗ４，Ｗ５のそれぞれにおけるコンテンツＣ１に対する重み（即ち、５点、１．５点、１２点）の総和である１８．５点であるとして算出される。
【０１０９】
同様に、参照元ウェブページＷ２におけるコンテンツＣ２に対する重みは、参照元ウェブページＷ２に付与された第一重要度（即ち、１点）を、参照元ウェブページＷ２がリンクするコンテンツの総数（即ち、１）で除して得られる数値（即ち、１点）である。また、参照元ウェブページＷ３におけるコンテンツＣ２に対する重みは、参照元ウェブページＷ３に付与された第一重要度（即ち、５点）を、参照元ウェブページＷ３がリンクするコンテンツの総数（即ち、５）で除して得られる数値（即ち、１点）である。このため、コンテンツＣ２に関する第二重要度は、コンテンツＣ２にリンクする参照元ウェブページＷ１，Ｗ２，Ｗ３，Ｗ４のそれぞれにおけるコンテンツＣ２に対する重み（即ち、５点、１点、１点、１．５点）の総和である８．５点であるとして算出される。
【０１１０】
（１０）重要度算出部による第二重要度の算出方法の第二例
次に、重要度算出部１４１による、選択情報に基づく第二重要度の算出方法の第二例について説明する。なお、特定情報に基づく第一重要度の算出方法については、前述のとおりとする。ここでの第二重要度の算出方法も、前述したように、多くの良質なウェブページから参照されているコンテンツは、良質なコンテンツであるとみなすことができるという考えに基づいている。ここでの第二重要度の算出には、参照元ウェブページの質、及び参照元ウェブページの参照数に加えて、いずれの参照元ウェブページを経由していずれのコンテンツが何回視聴されたかを示す実際の視聴回数という三要素が変数として用いられる。
【０１１１】
ここで、参照元ウェブページＷ１〜Ｗ５のそれぞれの第一重要度と、参照元ウェブページＷ１〜Ｗ５のそれぞれがリンクするコンテンツ及びその数は、前述のとおりとする。なお、参照元ウェブページＷ１の第一重要度（１０点）は、参照元ウェブページＷ１を経由してコンテンツＣ１が視聴された回数である５点と、参照元ウェブページＷ１を経由してコンテンツＣ２が視聴された回数である５点とによって構成されているとする。また、参照元ウェブページＷ２の第一重要度（１点）は、参照元ウェブページＷ２を経由してコンテンツＣ２が視聴された回数である１点によって構成されているとする。
【０１１２】
また、参照元ウェブページＷ３の第一重要度（５点）は、参照元ウェブページＷ３を経由してコンテンツＣ２が視聴された回数である１点と、参照元ウェブページＷ３を経由してコンテンツＣ３が視聴された回数である１点と、参照元ウェブページＷ３を経由してコンテンツＣ４が視聴された回数である１点と、参照元ウェブページＷ３を経由してコンテンツＣ５が視聴された回数である１点と、参照元ウェブページＷ３を経由してコンテンツＣ６が視聴された回数である１点とによって構成されているとする。また、参照元ウェブページＷ４の第一重要度（３点）は、参照元ウェブページＷ４を経由してコンテンツＣ１が視聴された回数である２点と、参照元ウェブページＷ４を経由してコンテンツＣ２が視聴された回数である１点とによって構成されているとする。また、参照元ウェブページＷ５の第一重要度（１２点）は、参照元ウェブページＷ５を経由してコンテンツＣ１が視聴された回数である１２点によって構成されているとする。
【０１１３】
このとき、第二送信部１３６により送信されたダイジェスト情報を受信した移動通信端末２から、このダイジェスト情報が示す複数のリンク元情報のうち移動通信端末２において選択されたリンク元情報を特定する選択情報を受信すると、上記の参照元ウェブページＷ１〜Ｗ５のそれぞれの第一重要度とこの内訳構成に基づいて、上記のコンテンツＣ１，Ｃ２等のそれぞれに関する第二重要度が重要度算出部１４１によって算出される。例えば、コンテンツＣ１に関する第二重要度は、コンテンツＣ１にリンクする参照元ウェブページＷ１，Ｗ４，Ｗ５のそれぞれにおけるコンテンツＣ１に対する重み平均（即ち、平均された重要度）の合計値と、参照元ウェブページＷ１，Ｗ４，Ｗ５のそれぞれを経由してコンテンツＣ１が視聴された実際の回数（即ち、実際の重要度）の合計値との総和である。
【０１１４】
例えば、参照元ウェブページＷ１におけるコンテンツＣ１（，Ｃ２のそれぞれ）に対する重み平均は、参照元ウェブページＷ１に付与された第一重要度（即ち、１０点）を、この参照元ウェブページＷ１がリンク（参照）するコンテンツの総数（即ち、２）で除して得られる数値（即ち、５点）である。同様に、参照元ウェブページＷ４におけるコンテンツＣ１（，Ｃ２のそれぞれ）に対する重み平均は、参照元ウェブページＷ４に付与された第一重要度（即ち、３点）を、参照元ウェブページＷ４がリンクするコンテンツの総数（即ち、２）で除して得られる数値（即ち、１．５点）である。また、参照元ウェブページＷ５におけるコンテンツＣ１に対する重み平均は、参照元ウェブページＷ５に付与された第一重要度（即ち、１２点）を、参照元ウェブページＷ５がリンクするコンテンツの総数（即ち、１）で除して得られる数値（即ち、１２点）である。
【０１１５】
このため、コンテンツＣ１に関する第二重要度は、コンテンツＣ１にリンクする参照元ウェブページＷ１，Ｗ４，Ｗ５のそれぞれにおけるコンテンツＣ１に対する重み平均（即ち、５点、１．５点、１２点）の合計値（１８．５点）と、参照元ウェブページＷ１，Ｗ４，Ｗ５のそれぞれを経由してコンテンツＣ１が視聴された実際の回数（即ち、５点、２点、１２点）の合計値（１９点）との総和である３７．５点であるとして算出される。
【０１１６】
同様に、参照元ウェブページＷ２におけるコンテンツＣ２に対する重み平均は、参照元ウェブページＷ２に付与された第一重要度（即ち、１点）を、参照元ウェブページＷ２がリンクするコンテンツの総数（即ち、１）で除して得られる数値（即ち、１点）である。また、参照元ウェブページＷ３におけるコンテンツＣ２に対する重み平均は、参照元ウェブページＷ３に付与された第一重要度（即ち、５点）を、参照元ウェブページＷ３がリンクするコンテンツの総数（即ち、５）で除して得られる数値（即ち、１点）である。
【０１１７】
このため、コンテンツＣ２に関する第二重要度は、コンテンツＣ２にリンクする参照元ウェブページＷ１，Ｗ２，Ｗ３，Ｗ４のそれぞれにおけるコンテンツＣ２に対する重み平均（即ち、５点、１点、１点、１．５点）の合計値（８．５点）と、参照元ウェブページＷ１，Ｗ２，Ｗ３，Ｗ４のそれぞれを経由してコンテンツＣ２が視聴された実際の回数（即ち、５点、１点、１点、１点）の合計値（８点）との総和である１６．５点であるとして算出される。
【０１１８】
（１１）コンテンツ表示処理の流れ
次に、本実施形態に係るコンテンツ表示システム１１で実行されるコンテンツ表示処理の流れ（コンテンツ表示方法）について、図９を用いて説明する。図９は、コンテンツ表示システム１１で実行されるコンテンツ表示処理の流れを示すシーケンス図である。
【０１１９】
まず、情報提供サーバ１３のサムネイル取得部１３１が、複数のコンテンツの一覧に基づいて、サムネイル情報を生成して取得する（ステップＳ１０１、生成ステップ）。そして、情報提供サーバ１３の第一送信部１３２が、サムネイル取得部１３１により生成されたサムネイル情報を、移動通信端末２に送信する（ステップＳ１０２、第一装置送信ステップ）。
【０１２０】
次に、移動通信端末２の第一表示部２１が、情報提供サーバ１３からサムネイル情報を受信して、このサムネイル情報をユーザに対して表示する（ステップＳ１０３）。これにより、移動通信端末２のユーザは、このサムネイル情報を視認することが可能になる。そして、移動通信端末２の第一選択部２２が、第一表示部２１により表示されたサムネイル情報が示す複数のコンテンツのうちいずれかのコンテンツの、ユーザによる選択を受け付ける。
【０１２１】
次に、移動通信端末２の第一選択部２２が、ユーザにより選択されたコンテンツを特定する特定情報を、情報提供サーバ１３に送信する（ステップＳ１０４）。そして、情報提供サーバ１３の第一受信部１３３が、移動通信端末２から特定情報を受信して（第一装置受信ステップ）、参照元特定部１３４が、この特定情報が特定するコンテンツにリンクする（即ち、このコンテンツを参照している）複数のリンク元ウェブページ（参照元ウェブページ）のそれぞれに関する情報（リンク元情報）を特定する（ステップＳ１０５）。
【０１２２】
次に、情報提供サーバ１３の重要度算出部１４１が、第一受信部１３３により受信された特定情報に基づいて、移動通信端末２において選択されたコンテンツの第一重要度を算出して、第一重要度情報を生成する（ステップＳ１０６）。第一重要度情報は、この第一重要度の大きい順に基づく表示順に従った複数のリンク元情報の表示一覧から生成されるダイジェスト情報が、移動通信端末２において表示されるよう指示する情報である。
【０１２３】
次に、情報提供サーバ１３のダイジェスト情報取得部１３５及び第二送信部１３６が、参照元特定部１３４により特定されたリンク元情報の一覧に基づいて、リンク元ウェブページのそれぞれの概要を示すダイジェスト情報を生成する（ステップＳ１０７）。このダイジェスト情報は、重要度算出部１４１により生成された前述の第一重要度情報に基づいて生成されている。そして、第二送信部１３６が、生成されたダイジェスト情報を移動通信端末２に送信する（ステップＳ１０８、第二装置送信ステップ）ことによって、第一重要度の大きい順に基づく表示順に従って並べ替えられたダイジェスト情報を移動通信端末２において表示させる。
【０１２４】
次に、移動通信端末２の第二表示部２３が、情報提供サーバ１３からダイジェスト情報を受信して、このダイジェスト情報をユーザに対して表示する（ステップＳ１０９）。これにより、移動通信端末２のユーザは、第一重要度の大きい順に基づく表示順に従って並べ替えられたダイジェスト情報を視認することが可能になる。そして、移動通信端末２の第二選択部２４が、第二表示部２３により表示されたダイジェスト情報が示す複数のリンク元情報のうちいずれかのリンク元情報の、ユーザによる選択を受け付ける。
【０１２５】
次に、移動通信端末２の第二選択部２４が、ユーザにより選択されたリンク元情報を特定する選択情報を、情報提供サーバ１３に送信する（ステップＳ１１０）。そして、情報提供サーバ１３の第二受信部１３７が、移動通信端末２から選択情報を受信して（第二装置受信ステップ）、関連ページ特定部１３８が、受信された選択情報が特定するリンク元情報によって示されるリンク元ウェブページに関連する関連ウェブページを特定する（ステップＳ１１１）。選択情報とリンク元ウェブページとは、関連ページ特定部１３８によって関連付けられて記憶される。
【０１２６】
次に、情報提供サーバ１３の重要度算出部１４１が、第二受信部１３７により受信された選択情報に基づいて、移動通信端末２において選択されたリンク元情報の第二重要度を算出して、第二重要度情報を生成する（ステップＳ１１２）。第二重要度情報は、この第二重要度の大きい順に基づく表示順に従った複数のコンテンツの表示一覧から生成されたサムネイル情報が、移動通信端末２において表示されるよう指示する情報である。
【０１２７】
次に、情報提供サーバ１３の参照先特定部１３９が、特定された関連ウェブページのコンテンツと、この関連ウェブページ内で参照されているコンテンツとを特定する（ステップＳ１１３、コンテンツ特定ステップ）。そして、入力部１４０が、特定されたコンテンツに関する情報（例えば、このコンテンツを特定する情報）を、サムネイル取得部１３１に入力する（ステップＳ１１４）。これによって、再度、ステップＳ１０１から始まる一連の処理への移行が行なわれ、サムネイル取得部１３１は、入力されたコンテンツに基づいたサムネイル情報を生成する。このサムネイル情報は、重要度算出部１４１により算出された前述の第二重要度に基づいて生成されている。このため、移動通信端末２のユーザは、第二重要度の大きい順に基づく表示順に従って並べ替えられたサムネイル情報を視認することが可能になる。
【０１２８】
（１２）本発明による作用及び効果
本発明による作用及び効果は、第一実施形態における作用及び効果を有するものである。その他の作用及び効果を以下に説明する。ユーザによって選択されたコンテンツを特定する特定情報に基づいてコンテンツの重要度が算出され、算出された重要度の多寡に基づく表示順で移動通信端末２においてサムネイル情報が表示されるよう指示する重要度情報を含むサムネイル情報が、移動通信端末２に送信される。この結果、移動通信端末２において選択された実績に基づく表示順に並べ替えられて移動通信端末２においてサムネイル情報が表示されるため、ユーザに対して提示されるサムネイル情報を、ユーザによって実際に選択されたという実績に基づいて適切に並び替えて更新し、より適切なサムネイル情報をユーザに効率的に提示することが可能になる。
【０１２９】
（１３）第三実施形態に係るコンテンツ表示システムの構成
次に、第三実施形態に係るコンテンツ表示システムについて、図７を用いて説明する。図７は、このコンテンツ表示システム５の全体構成の概略を説明するための構成図である。コンテンツ表示システム５は、サムネイル表示されたコンテンツの中から興味を持ったコンテンツを選択したユーザに対して、このコンテンツに適切に関連している可能性が高いと考えられる情報を提示するシステムである。
【０１３０】
ここでは、コンテンツは、動画像データや静止画像データや音声データや音楽データのことを意味するとし、例えばＭＰＥＧ、ＡＶＩ、ＡＳＦ、ＦＬＶ等の形式による音声動画ファイルや、ＴＩＦＦ、ＪＰＥＧ、ＧＩＦ、ＰＮＧ等の形式による静止画像ファイル等である。コンテンツは動画像データや静止画像データや音声データや音楽データ等であれば特に限定されることはなく、例えばＷＭＶ形式の音声動画ファイルであってもよく、ＢＭＰ形式の静止画像ファイルであってもよい。
【０１３１】
コンテンツ表示システム５は、図７に示されるように、携帯電話機やＰＣ（即ち、パーソナルコンピュータ）等の移動通信端末６（コンテンツ表示端末）、及び、ウェブサーバ等の情報提供サーバ７（コンテンツ表示支援装置）を有して構成されており、移動通信端末６及び情報提供サーバ７は、インターネット通信網や移動通信網等により構成されている通信ネットワーク４を介して互いに通信可能である。
【０１３２】
コンテンツ表示システム５において行われる処理の概要として、まず、情報提供サーバ７が、通信ネットワーク４における複数のコンテンツの一覧をサムネイル情報として生成し、通信ネットワーク４を介して移動通信端末６に送信する。このサムネイル情報を受信した移動通信端末６は、ユーザによって選択されたコンテンツを特定する特定情報を、通信ネットワーク４を介して情報提供サーバ７に送信する。
【０１３３】
サムネイル情報は、視認範囲の限られた移動通信端末６やＰＣのディスプレイ上で示される、コンテンツの概要の視認速度（即ち、視認の容易性）を向上させるための情報であり、例えばコンテンツの縮小画像等で表示されたものである。サムネイル情報は、通常、このサムネイル情報と対応するコンテンツに一意に関連付けられる。なお、コンテンツが音声ファイルや音楽ファイルである場合、このコンテンツに対応するサムネイル情報は、音声ファイルや音楽ファイルであることを示すアイコンか、音声ファイルや音楽ファイルに関連付けられる画像ファイルの縮小画像である。
【０１３４】
次に、特定情報を受信した情報提供サーバ７は、このコンテンツにリンクする（即ち、このコンテンツを参照乃至言及している）複数のリンク元ウェブページ（参照元ウェブページ）のそれぞれに関連する関連ウェブページを特定した後で、この関連ウェブページのコンテンツを特定して上記のサムネイル情報を生成する。即ち、ユーザによって選択されたコンテンツを特定する特定情報に基づいて生成された関連ウェブページのコンテンツがサムネイル情報として生成され、移動通信端末６に送信されて表示される。これにより、ユーザによって選択されたコンテンツに適切に関連している可能性が高いと考えられるサムネイル情報がユーザに提示されるようになるため、利便性を高めることが可能になる。
【０１３５】
なお、以下では、リンク元ウェブページや関連ウェブページといった「ウェブページ」は、単にウェブページだけを意味するのではなく、ウェブページの集合体としてのウェブサイトも意味することとする。
【０１３６】
（１４）移動通信端末の構成
次に、本実施形態に係る移動通信端末について、図８及び図３を用いて説明する。図８は、移動通信端末６の機能構成を説明するための機能構成図であり、図３は、移動通信端末６の物理構成を説明するための物理構成図である。移動通信端末６は、図３に示されるように、物理的な構成要素としてＣＰＵ２０１、ＲＡＭ２０２、ＲＯＭ２０３、操作部２０４、無線通信部２０５、ディスプレイ２０６、及びアンテナ２０７等のハードウェアにより構成されている。これらの構成要素が動作することにより、以下に説明する各機能が発揮される。
【０１３７】
また、移動通信端末６は、図８に示されるように、機能的な構成要素として一覧表示部６１（受信表示手段）及び選択部６２（表示選択手段）を有している。
【０１３８】
一覧表示部６１は、情報提供サーバ７からサムネイル情報と、このサムネイル情報が示す複数のコンテンツのそれぞれにリンクする（即ち、コンテンツのそれぞれを参照している）複数のリンク元ウェブページのそれぞれに関するテキストデータや画像データやＵＲＬやタイトル等の情報（リンク元情報）とを受信するとともに、受信したこのサムネイル情報をリンク元ウェブページ毎に一覧表示する通信部分及びディスプレイ部分である。
【０１３９】
ここで、リンク元ウェブページとは、例えば、このコンテンツを特定してリンクするためのＵＲＬ等が記述されたＨＴＭＬ文書ファイルであり、ブログの一つのブログエントリやニュースサイトの一つの記事等、個別のＵＲＬが割り振られたＷｅｂページのことである。
【０１４０】
なお、一覧表示部６１は、一覧表示するサムネイル情報の情報量が膨大になるのを防ぐため、ブログ等の１つのページが有する複数のコンテンツに関しては、１つのページが有するコンテンツ群として１つにまとめてコンテンツとして表示することによって情報量を制限することが可能である。即ち、一覧表示部６１は、ブログ等の１つのページ内の複数の記事を別々のコンテンツとして表示せず、このページを管理するオーナー１人につき１つのページをコンテンツとして表示することによって情報量を制限することが可能である。
【０１４１】
選択部６２は、一覧表示部６１により表示されたサムネイル情報が示す複数のコンテンツのうちいずれかのコンテンツの、ユーザによる選択を受け付けるユーザインタフェース部分である。選択部６２は、選択されたコンテンツを特定する特定情報を、情報提供サーバ７に送信する。
【０１４２】
ここで、特定情報は、例えば、後述する情報提供サーバ７のサムネイル取得部７１においてサムネイル情報が生成される際に割り振られてサムネイル情報と共に移動通信端末６に送信された、コンテンツのそれぞれを一意に特定するためのＩＤ又は通し番号等である。
【０１４３】
なお、一覧表示部６１は、選択部６２により選択されたコンテンツにリンクする（即ち、このコンテンツを参照している）複数のリンク元ウェブページのそれぞれに関するテキストデータや画像データやＵＲＬやタイトル等の情報（リンク元情報）の一覧をリンク元サムネイル情報として表示する。
【０１４４】
（１５）情報提供サーバの構成
次に、本実施形態に係る情報提供サーバについて、図９及び図５を用いて説明する。図９は、情報提供サーバ７の機能構成を説明するための機能構成図であり、図５は、情報提供サーバ７の物理構成を説明するための物理構成図である。情報提供サーバ７は、図５に示されるように、物理的な構成要素としてＣＰＵ３０１（Central Processing Unit）、主記憶装置であるＲＡＭ３０２（Random Access Memory）及びＲＯＭ３０３（Read Only Memory）、通信を行うための通信モジュール３０４、並びにハードディスク等の補助記憶装置３０５等のハードウェアを備えるコンピュータとして構成される。これらの構成要素が動作することにより、情報提供サーバ７の機能が発揮される。
【０１４５】
また、情報提供サーバ７は、図９に示されるように、機能的な構成要素としてサムネイル取得部７１（生成手段）、送信部７２（情報送信手段）、受信部７３（情報受信手段）、参照元特定部７４（リンク元特定手段）、関連ページ特定部７５（関連特定手段）、参照先特定部７６（関連コンテンツ特定手段）、及び入力部７７（生成手段）を有している。
【０１４６】
サムネイル取得部７１は、複数のコンテンツの一覧をサムネイル情報として生成する演算部分である。サムネイル取得部７１は、複数のコンテンツの一覧をサムネイル情報として、予め生成しておいてもよく、また、入力部７７からコンテンツに関する情報を入力されたときに、動的に生成してもよい。
【０１４７】
更に、サムネイル取得部７１は、例えば、情報提供サーバ７において予め登録された特定のジャンルでリンクを辿って（即ち、特定のジャンルに分類分けされるコンテンツにリンクするリンク元ウェブページが有するコンテンツを検索して）サムネイル情報として生成してもよい。また、サムネイル取得部７１は、例えば、情報提供サーバ７において予め登録された特定のキーワードでコンテンツを検索して、この検索結果をサムネイル情報として生成してもよい。
【０１４８】
送信部７２は、サムネイル取得部７１により予め生成された、または動的に生成されたサムネイル情報を、移動通信端末６に送信する通信部分である。
【０１４９】
受信部７３は、送信部７２により送信されたサムネイル情報を受信した移動通信端末６から、このサムネイル情報が示す複数のコンテンツのうち移動通信端末６において選択されたコンテンツを特定する特定情報を受信する通信部分である。
【０１５０】
参照元特定部７４は、受信部７３により受信された特定情報が特定するコンテンツにリンクする（即ち、このコンテンツを参照している）複数のリンク元ウェブページを特定する演算部分である。なお、リンク元ウェブページとは、上述したように、例えば、このコンテンツを特定してリンクするためのＵＲＬ等が記述されたＨＴＭＬ文書ファイルであり、ブログの一つのブログエントリやニュースサイトの一つの記事等、個別のＵＲＬが割り振られたＷｅｂページのことである。
【０１５１】
関連ページ特定部７５は、参照元特定部７４により特定されたリンク元ウェブページに関連する関連ウェブページを特定する演算部分である。なお、関連ウェブページとは、上述したように、例えば、リンク元ウェブページがブログエントリやニュースサイト記事である場合、このブログ内の他のブログエントリやこのニュースサイト内の他のニュース記事を指し示すＨＴＭＬ文書ファイルである。このように、リンク元ウェブページと関連ウェブページとは、例えば機能面で互いに関連している。
【０１５２】
参照先特定部７６は、関連ページ特定部７５により特定された関連ウェブページのコンテンツを特定する演算部分である。関連ウェブページのコンテンツの特定は、例えば、ＨＴＭＬ文書ファイルに埋め込まれて記述されている、コンテンツを特定してリンクするためのＵＲＬ等を、参照先特定部７６が検索して抽出することによって行なわれる。
【０１５３】
入力部７７は、参照先特定部７６により特定されたコンテンツに関する情報（例えば、このコンテンツを特定する情報）を、サムネイル取得部７１に入力することによって、サムネイル取得部７１に、入力されたコンテンツに関する情報に基づいたサムネイル情報を生成させる演算部分である。
【０１５４】
（１６）コンテンツ表示処理の流れ
次に、本実施形態に係るコンテンツ表示システム５で実行されるコンテンツ表示処理の流れ（コンテンツ表示方法）について、図１０を用いて説明する。図１０は、コンテンツ表示システム５で実行されるコンテンツ表示処理の流れを示すシーケンス図である。
【０１５５】
まず、情報提供サーバ７のサムネイル取得部７１が、複数のコンテンツの一覧に基づいて、サムネイル情報を生成して取得する（ステップＳ２１、生成ステップ）。そして、情報提供サーバ７の送信部７２が、サムネイル取得部７１により生成されたサムネイル情報を、移動通信端末６に送信する（ステップＳ２２、情報送信ステップ）。
【０１５６】
次に、移動通信端末６の一覧表示部６１が、情報提供サーバ７からサムネイル情報を受信して、このサムネイル情報をユーザに対して表示する（ステップＳ２３）。これにより、移動通信端末６のユーザは、このサムネイル情報を視認することが可能になる。そして、移動通信端末６の選択部６２が、一覧表示部６１により表示されたサムネイル情報が示す複数のコンテンツのうちいずれかのコンテンツの、ユーザによる選択を受け付ける。
【０１５７】
次に、移動通信端末６の選択部６２が、ユーザにより選択されたコンテンツを特定する特定情報を、情報提供サーバ７に送信する（ステップＳ２４）。そして、情報提供サーバ７の受信部７３が、移動通信端末６から特定情報を受信して（情報受信ステップ）、参照元特定部７４が、この特定情報が特定するコンテンツにリンクする（即ち、このコンテンツを参照している）複数のリンク元ウェブページ（参照元ウェブページ）を特定し、特定結果を関連ページ特定部７５に出力する（ステップＳ２５、リンク元特定ステップ）。
【０１５８】
なお、リンク元ウェブページとは、上述したように、例えば、このコンテンツを特定してリンクするためのＵＲＬ等が記述されたＨＴＭＬ文書ファイルであり、ブログの一つのブログエントリやニュースサイトの一つの記事等、個別のＵＲＬが割り振られたＷｅｂページのことである。
【０１５９】
次に、情報提供サーバ７の関連ページ特定部７５が、参照元特定部７４により特定された複数のリンク元ウェブページに関連する関連ウェブページを特定し、特定結果を参照先特定部７６に出力する（ステップＳ２６、関連特定ステップ）。そして、参照先特定部７６が、関連ページ特定部７５により特定された関連ウェブページが含む（即ち、関連ウェブページにおいて参照されている）コンテンツを特定し、特定結果を入力部７７に出力する（ステップＳ２７、関連コンテンツ特定ステップ）。
【０１６０】
なお、関連ウェブページとは、上述したように、例えば、リンク元ウェブページがブログエントリやニュースサイト記事である場合、このブログ内の他のブログエントリやこのニュースサイト内の他のニュース記事を指し示すＨＴＭＬ文書ファイルである。
【０１６１】
次に、入力部７７が、参照先特定部７６により特定されたコンテンツに関する情報（例えば、このコンテンツを特定する情報）を、サムネイル取得部７１に入力する（ステップＳ２１）。これによって、再度、ステップＳ２１から始まる一連の処理への移行が行なわれ、サムネイル取得部７１は、入力されたコンテンツに基づいたサムネイル情報を生成する。即ち、ユーザによって選択されたコンテンツを特定する特定情報に基づいて生成された関連ウェブページのコンテンツがサムネイル情報として生成され、移動通信端末６に送信されて表示される。これにより、ユーザによって選択されたコンテンツに適切に関連している可能性が高いと考えられるサムネイル情報がユーザに提示されるようになるため、利便性を高めることが可能になる。
【０１６２】
（１７）本発明による作用及び効果
サムネイル情報が示すコンテンツの中から興味を持った又は共感を覚えたユーザによって選択されたコンテンツを特定する特定情報に基づいて、このコンテンツにリンクするリンク元ウェブページに関するリンク元情報が表示される。これにより、このコンテンツにリンクしていることから何らかの説明又は評価がされていて信頼性を有すると考えられ、適切に関連している可能性が高いと考えられる膨大なリンク元情報がユーザに効率的に提示されるため、利便性を高めることが可能になる。
【０１６３】
また、ユーザによって選択されたコンテンツを特定する特定情報に基づいて、このコンテンツにリンクするリンク元ウェブページが特定され、リンク元ウェブページに関連する関連ウェブページが特定された後で、関連ウェブページのコンテンツ群が特定されてサムネイル情報が生成される。即ち、ユーザによって選択されたコンテンツを特定する特定情報に基づいて生成された関連ウェブページのコンテンツのサムネイル情報が移動通信端末６に送信されて一覧表示される。
【０１６４】
これにより、ユーザによって選択されたコンテンツに適切に関連している可能性が高いと考えられるサムネイル情報がユーザに提示されるため、ユーザが望んでいると思われる情報を提示でき、ユーザにとっての利便性を高めることが可能になる。また、リンク元ウェブページの文脈（即ち、ユーザによって選択されたコンテンツに基づいて、リンク元ウェブページに関連する関連ウェブページのコンテンツが一覧表示された背景となる理由）を、関連ウェブページのコンテンツをサムネイル表示することによって視覚化することにより、ユーザが自身の文脈（即ち、このコンテンツを選択した背景）と照らし合わせることが可能になり、この結果、このユーザの意図に沿ったコンテンツの選択を支援して助長することが可能になる。
【０１６５】
（１８）変形例
上記の実施例では、移動通信端末６及び情報提供サーバ７はそれぞれ一つであるとして説明したが、これらの数は特に限定されず、例えばこれらは複数であってもよい。また、上記の実施例では、コンテンツ表示端末として移動通信端末６とする構成としたが、移動通信端末６の代わりにＰＣであってもよい。
【０１６６】
また、ユーザによって選択されたコンテンツを特定する特定情報に基づいてコンテンツの重要度が上記の第二実施形態に示されるように算出され、算出された重要度の多寡に基づく表示順で移動通信端末２においてサムネイル情報が表示されるよう指示する重要度情報を含むサムネイル情報が、移動通信端末２に送信されるようにしてもよい。この結果、移動通信端末２において選択された実績に基づく表示順に並べ替えられて移動通信端末２においてサムネイル情報が表示されるため、ユーザに対して提示されるサムネイル情報を、ユーザによって実際に選択されたという実績に基づいて適切に並び替えて更新し、より適切なサムネイル情報をユーザに効率的に提示することが可能になる。
【産業上の利用可能性】
【０１６７】
本発明によれば、サムネイル表示されたコンテンツの中から興味を持ったコンテンツを選択したユーザに対して、このコンテンツに適切に関連している可能性が高いと考えられる情報を提示することができる。
【符号の説明】
【０１６８】
１，５，１１…コンテンツ表示システム、２，６…移動通信端末、３，７，１３…情報提供サーバ、４…通信ネットワーク、２１…第一表示部、２２…第一選択部、２３…第二表示部、２４…第二選択部、３１，７１，１３１…サムネイル取得部、３２，１３２…第一送信部、３３，１３３…第一受信部、３４，７４，１３４…参照元特定部、３５，１３５…ダイジェスト情報取得部、３６，１３６…第二送信部、３７，１３７…第二受信部、３８，７５，１３８…関連ページ特定部、３９，７６，１３９…参照先特定部、４０，１４０…入力部、１４１…重要度算出部、６１…一覧表示部、６２…選択部、７２…送信部、７３…受信部、７７…入力部、２０１…ＣＰＵ、２０２…ＲＡＭ、２０３…ＲＯＭ、２０４…操作部、２０５…無線通信部、２０６…ディスプレイ、２０７…アンテナ、３０１…ＣＰＵ、３０２…ＲＡＭ、３０３…ＲＯＭ、３０４…通信モジュール、３０５…補助記憶装置。
【図１】
2011040011.tif 000003
【図２】
2011040011.tif 000004
【図３】
2011040011.tif 000005
【図４】
2011040011.tif 000006
【図５】
2011040011.tif 000007
【図６】
2011040011.tif 000008
【図７】
2011040011.tif 000009
【図８】
2011040011.tif 000010
【図９】
2011040011.tif 000011
【図１０】
2011040011.tif 000012
【図１１】
2011040011.tif 000013
【図１２】
2011040011.tif 000014
【図１３】
2011040011.tif 000015